(57)【特許請求の範囲】
【請求項１】
部材の表面に、互いにシボ深さが異なり隣接する第１シボ部と第２シボ部が設けられ、
前記第１シボ部と前記第２シボ部との境界を見切り部として、前記第２シボ部がマスキングされた状態で、前記第１シボ部の表面が塗装されている部材の表面構造。
【請求項２】
前記見切り部の近傍の前記第２シボ部は、前記見切り部に近づくにつれてシボ深さが浅くなる請求項１記載の部材の表面構造。
【請求項３】
前記部材の表面からの前記見切り部の加工深さは、前記第１シボ部のシボ深さ又は前記第２シボ部のシボ深さよりも浅く設定されている請求項２記載の部材の表面構造。
【請求項４】
前記部材は内装材である請求項１〜３のいずれか一つに記載の部材の表面構造。
【請求項５】
部材の表面に、互いにシボ深さが異なり隣接する第１シボ部と第２シボ部を加工するシボ加工工程と、
前記第１シボ部と前記第２シボ部との境界を見切り部として、前記第２シボ部の表面をマスキングするマスキング工程と、
前記マスキング工程後に前記第１シボ部の表面を塗装する塗装工程とを備える部材の表面形成方法。
【発明の詳細な説明】
【技術分野】
【０００１】
本発明は、部材の表面構造及び部材の表面形成方法に関する。
【背景技術】
【０００２】
人の目に付きやすい部材では、部材の意匠性を向上させるために表面に塗装部と非塗装部を設けることがある。前記部材を製作する場合、非塗装部に対応する部材の表面部分をマスキングテープでマスキングした状態で、塗装部に対応する部材の表面部分を塗装している。この塗装前のマスキング工程においては、マスキングテープの端縁を、両表面部分の境界である見切り部に正確に重ね合わせる必要がある。
そこで、従来、特許文献１に開示されているように、部材（バンパー材）の表面に荒シボ部を設け、荒シボ部の途中部分に無シボ部を設けて、無シボ部を見切り部としていた。これにより、見切り部を明確にすることができ、見切り部に対するマスキングテープの端縁の位置を正確に決めやすくなる。
【先行技術文献】
【特許文献】
【０００３】
【特許文献１】特開平５−２５３５３３号公報
【発明の概要】
【発明が解決しようとする課題】
【０００４】
しかしながら、上記従来の技術によれば、荒シボ部と無シボ部との間で光沢差が生ずる。そのために、自動車のインストルメントパネルやドアトリムなど、乗員の目につきやすい部材に上記従来の技術を適用することは、外観品質上好ましくなかった。
また、人が手を触れやすい部材の場合、荒シボ部と無シボ部では部材の表面の手触りが異なることから、乗員に違和感を生じさせて好ましくない。
さらに、無シボ部とマスキングテープとの間に隙間が生じる。その結果、前記隙間に塗料が侵入し、マスキングした部分に塗料がはみ出して、外観品質が低下する可能性があった。
本発明は上記実状に鑑みて成されたもので、その目的は、部材の外観品質を向上させることができ、部材の表面に触れた人に違和感を生じさせにくい部材の表面構造及び部材の表面形成方法を提供する点にある。
【課題を解決するための手段】
【０００５】
本第１発明の特徴は、
部材の表面に、互いにシボ深さが異なり隣接する第１シボ部と第２シボ部が設けられ、
前記第１シボ部と前記第２シボ部との境界を見切り部として、前記第２シボ部がマスキングされた状態で、前記第１シボ部の表面が塗装されている点にある。（請求項１）
【０００６】
この構成によれば、互いにシボ深さが異なる第１シボ部と第２シボ部の境界を見切り部とするから、見切り部を明確にすることができる。従って、マスキング工程において、マスキングテープの端縁を前記見切り部に正確に重ね合わせることができる。
また、第１シボ部と第２シボ部とはシボ深さが異なるだけであるから、第１シボ部と第２シボ部との光沢差を軽減することができて、部材の外観品質を向上させることができるとともに、部材に触れた人に違和感を生じさせにくくすることができる。（請求項１）
【０００７】
本第１発明において、
前記見切り部の近傍の前記第２シボ部は、前記見切り部に近づくにつれてシボ深さが浅くなると、次の作用を奏することができる。（請求項２）
【０００８】
マスキングテープと第２シボ部の凹部との間への塗料の侵入量を少なくすることができる。その結果、第２シボ部側に塗料がはみ出すことを抑制して、部材の外観品質の低下を防止することができる。（請求項２）
【０００９】
本第１発明において、
前記部材の表面からの前記見切り部の加工深さは、前記第１シボ部のシボ深さ又は前記第２シボ部のシボ深さよりも浅く設定されていると、次の作用を奏することができる。（請求項３）
【００１０】
見切り部の位置でのマスキングテープの粘着範囲の減少を抑えることができる。従って、マスキングした部分への塗料の侵入による部材の外観品質の低下を防止することができる。（請求項３）
【００１１】
本第１発明において、
前記部材は内装材であると、次の作用を奏することができる。（請求項４）
【００１２】
内装材は人の目に付きやすく、また、人が手を触れやすい部材である。従って、部材の外観品質を向上させる効果や、部材に触れた人に違和感を生じさせにくくする効果を得ることができる本発明が特に有効になる。（請求項４）
【００１３】
本第２発明の特徴は、
部材の表面に、互いにシボ深さが異なり隣接する第１シボ部と第２シボ部を加工するシボ加工工程と、
前記第１シボ部と前記第２シボ部との境界を見切り部として、前記第２シボ部の表面をマスキングするマスキング工程と、
前記マスキング工程後に前記第１シボ部の表面を塗装する塗装工程とを備える点にある。（請求項５）
【００１４】
この構成によれば、
互いにシボ深さが異なる第１シボ部と第２シボ部の境界を見切り部とするから、見切り部を明確にすることができる。従って、マスキング工程において、マスキングテープの端縁を前記見切り部に正確に重ね合わせることができる。
また、第１シボ部と第２シボ部とはシボ深さが異なるだけであるから、第１シボ部と第２シボ部との光沢差を軽減することができて、部材の外観品質を向上させることができるとともに、部材に触れた人に違和感を生じさせにくくすることができる。（請求項５）
【発明の効果】
【００１５】
本発明によれば、
部材の外観品質を向上させることができ、部材の表面に触れた人に違和感を生じさせにくい部材の表面構造及び部材の表面形成方法を提供することができた。
【図面の簡単な説明】
【００１６】
【図１】インストルメントパネルの左端部の斜視図
【図２】図１のＡ−Ａ断面図
【図３】シボ深さ等を示す模式図であり、図１のＡ−Ａ断面に対応する模式図
【発明を実施するための形態】
【００１７】
以下、本発明を実施するための形態を図面に基づいて説明する。
図１に、自動車のインストルメントパネル１（部材、内装材に相当）の左側の部分を示してある。このインストルメントパネル１は、上壁２と、上壁２の車両後方側Ｒｒ（車室内側）の端部から下方に延びる縦壁とを備えている。
【００１８】
フロントシートに着座した乗員は、前記縦壁に車両後方側Ｒｒから対向する。符号Ｆｒは車両前方側である。前記上壁２や縦壁は乗員からよく見える。また、乗員は上壁２や縦壁に手を触れやすい。これらのことを考慮して、前記上壁２の表面構造が次のように構成されている（前記縦壁の表面構造については、前記上壁２の表面構造と同じであるので説明を省略する）。
【００１９】
［インストルメントパネル１の上壁２の表面構造］
図１〜図３に示すように、前記上壁２の表面２Ｍに、互いにシボ深さＡ１，Ａ２（図３参照）が異なる第１シボ部４と第２シボ部５が隣接して設けられている。前記第１シボ部４は、上壁２の左右両端部以外の長手方向中間部の表面２Ｍに設けられ、第２シボ部５は、上壁２の左右両端部の表面２Ｍに設けられている。図２に示すように、第１シボ部４が設けられた前記上壁２の長手方向中間部は、第２シボ部５が設けられた左右両端部よりも少し上方に膨出しており、前記長手方向中間部と左右両端部の境界部に段差部が形成されている。
【００２０】
図３の符号Ａ１は第１シボ部４のシボ深さ、Ａ２は第２シボ部５のシボ深さである。第２シボ部５のシボ深さＡ２は第１シボ部４のシボ深さＡ１よりも深く設定されている（Ａ１＜Ａ２）。前記第１シボ部４と第２シボ部５の模様はいずれも皮革模様である。
【００２１】
そして、第１シボ部４と第２シボ部５との境界を見切り部Ｌとして、第２シボ部５がマスキングテープ（図示せず）によりマスキングされた状態で、第１シボ部４の表面が塗装されている。見切り部Ｌは上壁２の前記段差部（図２参照）に位置する。
【００２２】
［見切り部Ｌの構造］
図３に示すように、前記見切り部Ｌはつや消し加工により形成されている。これにより、見切り部Ｌがある程度の幅を有するようにしてある。上壁２の表面２Ｍからの見切り部Ｌの加工深さＢは略同じである。この見切り部Ｌの加工深さＢは、第１シボ部４のシボ深さＡ１や第２シボ部５のシボ深さＡ２よりも浅く設定されている。見切り部Ｌの近傍の第２シボ部５は、見切り部Ｌに近づくにつれてシボ深さＡ２が浅くなっている。
乗員の手が触れやすい前記第１シボ部４の表面（上壁２の表面２Ｍ）と第２シボ部５の表面（上壁２の表面２Ｍ）と見切り部Ｌの表面（上壁２の表面２Ｍ）とは高さ（上壁２の板厚方向の位置）が略同じである。これにより、前記表面上に段差が現れず、乗員が前記表面に手で触れても違和感を覚えさせにくくすることができる。
【００２３】
［インストルメントパネル１の上壁２の表面形成方法］
前記上壁２の表面形成方法は、
前記上壁２の表面２Ｍに、互いにシボ深さＡ１，Ａ２が異なる第１シボ部４と第２シボ部５を隣接させて加工するシボ加工工程と、
第１シボ部４と第２シボ部５との境界に、見切り部Ｌとしてつや消し加工するつや消し加工工程と、
第１シボ部４と第２シボ部５との境界を見切り部Ｌとして、第２シボ部５の表面をマスキングするマスキング工程と、
マスキング工程後に第１シボ部４の表面を塗装する塗装工程とを備えている。
【００２４】
図３の符号Ｄはマスキング範囲であり、マスキング工程においては、マスキングテープの端縁を見切り部Ｌの幅方向の中心に位置させる。符号Ｅは塗装範囲であり、塗装工程においては、見切り部Ｌの幅方向中心側まで塗装する。
【００２５】
本発明の構成によれば、
（１）  互いにシボ深さＡ１，Ａ２が異なる第１シボ部４と第２シボ部５の境界を見切り部Ｌとするから、見切り部Ｌを明確にすることができる。従って、マスキング工程において、マスキングテープの端縁を、前記見切り部Ｌに正確に重ね合わせることができる。
また、第１シボ部４と第２シボ部５とはシボ深さＡ１，Ａ２が異なるだけであるから、第１シボ部４と第２シボ部５との光沢差を軽減することができて、上壁２の外観品質を向上させることができるとともに、上壁２に触れた人に違和感を生じさせにくくすることができる。
【００２６】
（２）  前記見切り部Ｌの近傍の第２シボ部５は、見切り部Ｌに近づくにつれてシボ深さＡ２が浅くなっているから、マスキングテープと第２シボ部５の凹部との間への塗料の侵入量を少なくすることができる。その結果、第２シボ部５側に塗料がはみ出すことを抑制することができて、上壁２の外観品質の低下を防止することができる。
【００２７】
（３）  上壁２の表面２Ｍからの見切り部Ｌの加工深さＢは、第１シボ部４のシボ深さＡ１や第２シボ部５のシボ深さＡ２よりも浅く設定されているから、見切り部Ｌの位置でのマスキングテープの粘着範囲の減少を抑えることができる。従って、マスキングした部分への塗料の侵入による上壁２の外観品質の低下を防止することができる。
【００２８】
［シボの模様について］
前記第１シボ部４と第２シボ部５の模様は、梨地模様、木目模様、岩目模様、砂目模様、布地模様、その他の模様であってもよい。前記第１シボ部４と第２シボ部５を同一の模様にすると、異なる模様にした場合よりも外観品質を向上させることができる。
【００２９】
［第１シボ部４のシボ深さＡ１と第２シボ部５のシボ深さＡ２について］
第１シボ部４のシボ深さＡ１と第２シボ部５のシボ深さＡ２は特に限定されないが、外観品質上、１０μｍ〜２００μｍ程度 (１００％のシボ加工深さ)が好ましい。１００％のシボ加工深さとは、シボ加工に用いる金型で加工できる最大のシボ深さである。
【００３０】
［第１シボ部４のシボ深さＡ１と第２シボ部５のシボ深さＡ２の差について］
第１シボ部４のシボ深さＡ１と第２シボ部５のシボ深さＡ２が１０μｍ以上異なると、見切り部Ｌを、より明確にすることができて、マスキング時に見切り部Ｌを判別しやすくすることができる。
【００３１】
見切り部Ｌはつや消し加工以外にもすりガラス加工やシボ加工の方法によっても形成することができる。これらの加工によって見切り部Ｌの幅をある程度広くすることができる。
【００３２】
［表面塗装について］
前記第１シボ部４の表面塗装の種類は特に限定されない。エポキシ樹脂塗装、フタル酸樹脂塗装、アミノアルキド樹脂塗装、アクリル樹脂塗装、水溶性樹脂塗装、ウレタン樹脂塗装等、種々の塗装を採用することができる。
【００３３】
［部材について］
前記部材はインストルメントパネル１に限られず、他の部材であってもよい。例えば、前記部材は、ドアトリム等の自動車の内装材や自動車のバンパーであってもよい。
【符号の説明】
【００３４】
１        部材、内装材（インストルメントパネル）
２Ｍ      部材の表面（インストルメントパネルの上壁の表面）
４        第１シボ部
５        第２シボ部
Ａ１      シボ深さ（第１シボ部のシボ深さ）
Ａ２      シボ深さ（第２シボ部のシボ深さ）
Ｂ        見切り部の加工深さ
Ｌ        見切り部
【図１】
0006443085.tif 000002
【図２】
0006443085.tif 000003
【図３】
0006443085.tif 000004